(57)【特許請求の範囲】
【請求項１】
発信者の電話番号を着信者に知らせる発信電話番号表示サービスに対応した電話装置であって、
発信者の電話番号を着信者に知らせるモードを選択する通知ボタンと、
発信者の電話番号を着信者に知らせないモードを選択する非通知ボタンと、
前記通知ボタン又は前記非通知ボタンのいずれかが押された場合にのみ相手番号発信状態にして、選択された前記モードに応じて前記発信者の電話番号を通知又は非通知にして前記着信者との回線の接続を行う回線接続制御部と、
を有することを特徴とする電話装置。
【請求項２】
発信者の電話番号を着信者に知らせる発信者電話番号通知方法であって、
ボタン操作により発信者の電話番号を着信者に知らせるモード又は着信者に知らせないモードが選択された場合にのみ相手番号発信状態にして、選択された前記モードに応じて前記発信者の電話番号を通知又は非通知にして前記着信者との回線の接続を行う、
ことを特徴とする発信者電話番号通知方法。
【発明の詳細な説明】
【０００１】
【発明の属する技術分野】
本発明は、発信電話番号表示サービスに対応した電話装置および発信者電話番号通知方法に関するものである。
【０００２】
【従来の技術】
近年、発信電話番号表示サービスが一部地域で開始されている。これは、発信側の電話番号を着信側の電話装置に表示して着信側のユーザに知らせるものである。
発信電話番号表示サービスは、発信電話番号を着信者に知らせることにより、着信者に発信者が誰であるかをわからせたり、いたずら電話などの発信電話番号が表示されない着信に対しては、受信拒否をする等の選択を可能にする便利な機能である反面、発信電話番号を発信者の知らないところで、企業が利用するなどプライバシーの侵害が生じるおそれがある。
このため、全番号非通知契約をしていない発信者は、相手の電話番号をダイアルする前に「１８４」等のダイアルをして非番号通知を選択する場合と、普通に相手の電話番号をダイアルをして番号通知をする場合とを、通話ごとに選択していた。
【０００３】
【発明が解決しようとする課題】
通常、発信者は相手先電話番号の書いてある手帳や紙を見ながらダイアルしたり、記憶している相手先の電話番号を思い出しながらダイアルしている。
このとき、非番号通知を選択する場合は、相手の電話番号をダイアルする前に「１８４」等のダイアルをする必要があるが、手帳や紙には通常相手の電話番号しか書いてないため、非番号通知を選択するための「１８４」等のダイアルをし忘れることが多く、相手に発信者の電話番号を知らせたくない場合にも知らせてしまうことがあった。
【０００４】
このように、通話ごとに非番号通知を選択する場合、発信者が「１８４」等のダイアルを忘れずに行うことは困難であった。
そこで本発明は、番号通知か非番号通知かを選択しなければ、相手先番号を発信できないようにすることにより、上記課題を解決することを目的とする。
【０００５】
【課題を解決するための手段】
上記目的を達成するための手段として、以下の電話装置を提供しようとするものである。
発信者の電話番号を着信者に知らせる発信電話番号表示サービスに対応した電話装置であって、発信者の電話番号を着信者に知らせるモードを選択する通知ボタンと、発信者の電話番号を着信者に知らせないモードを選択する非通知ボタンと、前記通知ボタン又は前記非通知ボタンのいずれかが押された場合にのみ相手番号発信状態にして、選択された前記モードに応じて前記発信者の電話番号を通知又は非通知にして前記着信者との回線の接続を行う回線接続制御部と、を有することを特徴とする電話装置。
【０００６】
発信者の電話番号を着信者に知らせる発信者電話番号通知方法であって、ボタン操作により発信者の電話番号を着信者に知らせるモード又は着信者に知らせないモードが選択された場合にのみ相手番号発信状態にして、選択された前記モードに応じて前記発信者の電話番号を通知又は非通知にして前記着信者との回線の接続を行うことを特徴とする発信者電話番号通知方法。
【０００８】
【発明の実施の形態】
本発明の電話装置および発信者電話番号通知方法は、発信電話番号表示サービスを利用する際に、発信者の電話番号の「表示可」と「表示不可」とを確実に指定できる様にするものである。発信電話番号表示サービスに対応したシステムでは、着信信号に発番号パラメータと呼ばれる情報が含まれている。そして、この発番号パラメータには、電話番号の「表示可」を示す「００」または「表示不可」を示す「０１」が設定されている表示識別子と、発信者電話番号がそれぞれ４ビットのデータで表されている９個のアドレス情報とを含んでいる。
【０００９】
そして、着信信号の表示識別子が「表示不可」を示す「０１」が設定される場合は、発信者の電話番号を表示しない契約（全番号非通知）の場合、「１８４」等のダイアルによって通話ごとの非番号通知が選択された場合、公衆電話から発信された場合等があり、それ以外は、「表示可」を示す「００」が設定される。また、９個のアドレス情報は、区域外を示す市外局番の先頭の「０」を除いた発信者電話番号が第１アドレス情報〜第９アドレス情報として供給される。
【００１０】
このような発信電話番号表示サービスを利用する本発明の電話装置の一実施形態を図面と共に説明する。図１は、本発明の電話装置の一実施形態を示す構成図、図２はその外観例を示す模式図、図３はその動作を説明するためのフローチャート図である。
図２は、本発明の電話装置の子機に使用した例を示す模式図である。同図において、従来の子機では発信時に回線を相手番号発信状態にするために「外線」または「通話」と表示されたボタンが設けられているが、本実施例では、このボタンの代わりに「通知」と表示された通知ボタン１と「非通知」と表示された非通知ボタン２とが設けられている。そして、従来と同様のダイアルボタン３、通話口７、スピーカ８が設けられている。
【００１１】
また、図１において、発信者情報保護番号格納部４は、着信信号の表示識別子を「表示不可」に設定するための発信者情報保護番号を格納しており、本実施例では、「１８４」のダイアル信号に相当する信号が格納されている。そして、バッファメモリ５は、ダイアル信号を一時格納する手段であり、回線制御部６は、通話回線の状態を制御するものである。
【００１２】
このような電話装置において、最初に、相手に発信者の電話番号を通知しないでダイアルを行う場合について説明する。
相手に自分の電話番号を通知したくない場合は、使用者はまず、「非通知」と表示された非通知ボタン２を押す（ステップ１１）。このとき電話装置の回線接続制御部６は、回線を相手番号発信状態にする（ステップ１２）。そして、非通知ボタン２が押されたので（ステップ１３→非通知）、発信者情報保護番号格納部４の発信者情報保護番号「１８４」をバッファメモリ５に出力して、一時格納しておく（ステップ１４）。
【００１３】
次に、使用者は、ダイアルボタン３を操作して、相手の電話番号をダイアルする。電話装置は、そのダイアルされた番号をバッファメモリ５に一時格納すると共に（ステップ１５）、先に格納していた「１８４」を回線接続制御部６を介して回線に出力し、続いて、ダイアルされた番号を出力する（ステップ１６）。
このようにして回線の接続を行うことにより、使用者は、相手に自分の電話番号を通知したくない場合でも、発信者情報保護番号を意識することなく、従来と同様の手順で電話をかけることができる。
【００１４】
相手に自分の電話番号を通知しても良い場合は、使用者はまず、「通知」と表示された通知ボタン１を押す（ステップ１１）。このとき電話装置の回線接続制御部６は、回線を相手番号発信状態にする（ステップ１２）。そして、通知ボタン１が押されたので（ステップ１３→通知）、そのままの状態を維持する。
次に、使用者は、ダイアルボタン３を操作して、相手の電話番号をダイアルする。電話装置は、そのダイアルされた番号をバッファメモリ５と回線接続制御部６を介して（ステップ１５）回線に出力する（ステップ１６）。
【００１５】
このようにして回線の接続を行うことにより、使用者は、相手に自分の電話番号を通知しても良い場合にも、従来と同様の手順で電話をかけることができる。そして、この電話装置では、通知ボタン１と非通知ボタン２のいずれかを押さないと、相手番号発信状態にならないので、使用者は、無意識のうちに相手に自分の電話番号を「通知しない」か「通知する」かを選択させることになり、相手に自分の電話番号を通知したくない場合に、誤って電話番号を通知してしまうという取り返しのつかない失敗を防ぐことができる。
【００１６】
なお、回線を相手番号発信状態にする（ステップ１２）のは、「１８４」をメモリに格納した（ステップ１４）の後、又は、ダイアル番号をメモリに格納した（ステップ１５）後でも良い。
また、以上説明した実施の形態では、コードレス電話装置の子機を例に挙げたが、携帯電話装置等でも同様に実施することができる。
そして、通常の（有線の）電話装置でも受話器を挙げても相手番号発信状態にせず、通知ボタン１と非通知ボタン２のいずれかを押してから相手番号発信状態にするように構成すれば、同様に本発明を実施することができる。この場合、受話器を持ち上げたときに通知ボタン１と非通知ボタン２を点灯もしくは点滅させて操作を促すようにするとなお良い。
【００１７】
次に本発明の電話装置の他の実施の形態について説明する。この実施の形態では、上記実施の形態で用いた通知ボタン１と非通知ボタン２とを共用しようとするものである。
このときの電話装置の外観は、上記実施の形態で用いられている通知ボタン１と非通知ボタン２は設けられておらず、従来の電話装置と同様の「外線」又は「通話」と表示されてる通話ボタン９（図示せず）が設けられている。
この場合の構成を図４に示し、その動作を図５のフローチャートに示す。まず、従来と同様に使用者は通話ボタン９を押す（ステップ２１）。このとき電話装置の回線接続制御部６は、回線を相手番号発信状態にする（ステップ２２）。
そして、同時に、通話ボタン９を点滅させたり、点灯色を変えたりして、使用者の注意を促す（ステップ２３）。
【００１８】
使用者は、相手に自分の電話番号を通知したくない場合は、再度通話ボタン９を押す（ステップ２４→Ｙ）。再度通話ボタン９が押されると、通話ボタン９の点滅をやめたり、点灯色を元に戻すなどして「非通知」モードとなったことを使用者に知らせる（ステップ２５）。
そして、発信者情報保護番号格納部４の発信者情報保護番号「１８４」をバッファメモリ５に出力して、一時格納しておく（ステップ２６）。
【００１９】
次に、使用者は、ダイアルボタン３を操作して、相手の電話番号をダイアルする。電話装置は、そのダイアルされた番号をバッファメモリ５に一時格納すると共に（ステップ２７）、先に格納していた「１８４」を回線接続制御部６を介して回線に出力し、続いて、ダイアルされた番号を出力する（ステップ２８）。
このようにして回線の接続を行うことにより、使用者は、ダイアルをする前に注意を促されるので、相手に自分の電話番号を通知したくない場合に、発信者情報保護番号を意識することなく、簡単な操作で、発信者電話番号の「非通知」モードにすることができる。
なお、相手に自分の電話番号を通知しても良い場合は、そのままダイアルすれば良い。
【００２０】
この実施の形態では、使用者の注意を促す例として、通話ボタン９を点滅させたり、点灯色を変えたりすることを挙げたが、液晶表示部がある電話装置では、発信者電話番号の「通知」モードであることを表示したり、発信者電話番号の「非通知」モードに変更を促すような表示をしても良く、音声により同様の表示をしても良い。そして、モードを変更した後も、変更後のモードを同様の方法により表示する。
また、ダイアル途中で再度通知ボタン１が押された場合も発信者電話番号の「非通知」モードにすることができるように構成しても良い。
【００２１】
さらに本発明の電話装置の第３の実施の形態について説明する。この実施の形態では、通知と非通知とをスイッチによって切り換えようとするものである。
このときの電話装置の外観は、上記他の実施の形態の電話装置と同様の「外線」又は「通話」と表示されてる通話ボタン９（図示せず）の他に切り換えスイッチ１０が設けられている。そして、使用者は、あらかじめこの切り換えスイッチ１０を、「通知」または「非通知」のいずれか、通常使用する方にあらかじめ切り換えておく。
【００２２】
この場合の構成を図６に示し、その動作を図７のフローチャートに示す。まず、従来と同様に使用者は通話ボタン９を押す（ステップ３１）。このとき電話装置の回線接続制御部６は、回線を相手番号発信状態にする（ステップ３２）。
そして、同時に、切り換えスイッチ１０の設定が「通知」，「非通知」のいずれかを検出して（ステップ３３）、その結果を通話ボタン９を点滅させたり、点灯色を変えたりして表示し、使用者の注意を促す。
使用者は、相手に自分の電話番号を通知したくない場合は、切り換えスイッチ１０の設定を「非通知」側に切り換えておく。そして、切り換えスイッチ１０の設定が「非通知」の場合には（ステップ３３→非通知）、発信者情報保護番号格納部４の発信者情報保護番号「１８４」をバッファメモリ５に出力して、一時格納しておく（ステップ３４）。
【００２３】
次に、使用者は、ダイアルボタン３を操作して、相手の電話番号をダイアルする。電話装置は、そのダイアルされた番号をバッファメモリ５に一時格納すると共に（ステップ３５）、先に格納していた「１８４」を回線接続制御部６を介して回線に出力し、続いて、ダイアルされた番号を出力する（ステップ３６）。
このようにして回線の接続を行うことにより、使用者は、ダイアルをする前に注意を促されるので、相手に自分の電話番号を通知したくない場合に、発信者情報保護番号を意識することなく、簡単な操作で、発信者電話番号の「非通知」モードにすることができる。
なお、相手に自分の電話番号を通知しても良い場合は、切り換えスイッチ１０を「通知」側に切り換えて、そのままダイアルすれば良い。
【００２４】
さらに、上記各実施の形態では、発信番号一時格納部として、バッファメモリ５を用いているが、代わりにシフトレジスタ等を用いてシフトレジスタに入力された番号を順次発信するようにしてもよい。
【００２５】
【発明の効果】
本発明の請求項１に係る電話装置は、通知ボタンと非通知ボタンのいずれかを選択しないと発信可能状態にならないので、使用者は、無意識のうちに相手に自分の電話番号を「通知しない」か「通知する」かを選択させることになり、相手に自分の電話番号を通知したくない場合に、誤って電話番号を通知してしまうという失敗を防ぐことができる。
【００２６】
【発明の効果】
本発明の請求項２に係る信者電話番号通知方法は、ボタン操作により発信者の電話番号を着信者に知らせるモード又は着信者に知らせないモードが選択された場合にのみ相手番号発信状態になるので、使用者は、無意識のうちに相手に自分の電話番号を「通知しない」か「通知する」かを選択させることになり、相手に自分の電話番号を通知したくない場合に、誤って電話番号を通知してしまうという失敗を防ぐことができる。
【００２７】
さらに、相手に自分の電話番号を通知したくない場合でも、発信者情報保護番号を意識することなく、従来と同様の手順で電話をかけることができるという効果がある。
【図面の簡単な説明】
【図１】本発明の電話装置の一実施の形態を示す構成図である。
【図２】本発明の電話装置の一実施の形態の外観を示す模式図である。
【図３】本発明の電話装置の一実施の形態の動作を説明するためのフローチャート図である。
【図４】本発明の電話装置の他の実施の形態を示す構成図である。
【図５】本発明の電話装置の他の実施の形態の動作を説明するためのフローチャート図である。
【図６】本発明の電話装置の第３の実施の形態を示す構成図である。
【図７】本発明の電話装置の第３の実施の形態の動作を説明するためのフローチャート図である。
【符号の説明】
１  通知ボタン
２  非通知ボタン
３  ダイアルボタン
４  発信者情報保護番号格納部
５  バッファメモリ
６  回線接続制御部
７  通話口
８  スピーカ
９  通話ボタン
１０  切り換えスイッチ
【図１】
0003687818.tif 000002
【図２】
0003687818.tif 000003
【図３】
0003687818.tif 000004
【図４】
0003687818.tif 000005
【図６】
0003687818.tif 000006
【図５】
0003687818.tif 000007
【図７】
0003687818.tif 000008